(57)【要約】  既存ＰＯＮと下り方向および上り方向の伝送速度が異なる新規ＰＯＮを、既存ＰＯＮが使用している光アクセス網に収容するＰＯＮシステムにおいて、新規ＰＯＮ２Ｘは、下り方向の信号を既存ＰＯＮ１とは異なる別波長λ３で送受信するとともに、上り方向の信号は既存ＰＯＮ１と同一波長λ１で送受信し、既存ＰＯＮ１の１Ｇ−ＯＬＴ１０は、既存ＰＯＮ１の上り方向の帯域制御を行なう際に既存ＰＯＮ１の上り方向への帯域のうち所定の時間帯を新規ＰＯＮ２Ｘの帯域として開放するとともに開放した開放時間帯は既存ＰＯＮ１の上り方向の帯域に割当てないよう帯域制御するＰＯＮ制御部１７を備え、新規ＰＯＮの１０Ｇ−ＯＬＴ２０Ｘは、ＰＯＮ制御部１７が開放した開放時間帯を検出する無信号区間検出部２９と、無信号区間検出部２９が検出した開放時間帯を新規ＰＯＮ２Ｘの上り方向の帯域に割当てるＰＯＮ制御部２７と、を備える。
2008072347.tif 000002
【特許請求の範囲】
【請求項１】
既存のＰＯＮである既存ＰＯＮと下り方向および上り方向の伝送速度が異なる新規な新規ＰＯＮを、前記既存ＰＯＮが使用している光アクセス網に収容するＰＯＮシステムにおいて、
前記新規ＰＯＮは、下り方向の信号を前記既存ＰＯＮとは異なる別波長で送受信するとともに、上り方向の信号は前記既存ＰＯＮと同一波長で送受信し、
前記既存ＰＯＮの局側装置は、前記既存ＰＯＮの上り方向の帯域制御を行なう際に前記既存ＰＯＮの上り方向への帯域のうち所定の時間帯を新規ＰＯＮの帯域として開放するとともに開放した開放時間帯は前記既存ＰＯＮの上り方向の帯域に割当てないよう帯域制御する第１の帯域制御部を備え、
前記新規ＰＯＮの局側装置は、前記第１の帯域制御部が開放した開放時間帯を検出する検出部と、前記検出部が検出した開放時間帯を前記新規ＰＯＮの上り方向の帯域に割当てる第２の帯域制御部と、を備えることを特徴とするＰＯＮシステム。
【請求項２】
前記検出部は、前記既存ＰＯＮの加入者側装置が前記既存ＰＯＮの局側装置へ送信する上り方向の信号に基づいて、前記開放時間帯を検出することを特徴とする請求項１に記載のＰＯＮシステム。
【請求項３】
前記検出部は、前記既存ＰＯＮの局側装置が前記既存ＰＯＮの加入者側装置へ送信する下り方向の信号に基づいて、前記開放時間帯を検出することを特徴とする請求項１に記載のＰＯＮシステム。
【請求項４】
加入者側で前記光アクセス網に接続されるとともに前記新規ＰＯＮの局側装置に前記開放時間帯に関する開放情報を送信する擬似的な擬似加入者側装置をさらに有し、
前記擬似加入者側装置は、前記既存ＰＯＮの局側装置から送信される下り方向の信号および前記新規ＰＯＮの局側装置から送信される下り方向の信号に基づいて前記開放情報を生成する情報生成部を備え、
前記新規ＰＯＮの局側装置が備える前記検出部は、前記情報生成部が生成した開放情報、自装置から前記擬似加入者側装置へ送信した下り方向の信号および前記開放情報を受信したタイミングに基づいて、前記開放時間帯を検出することを特徴とする請求項１に記載のＰＯＮシステム。
【請求項５】
前記第１の帯域制御部は、前記光アクセス網に接続される前記既存ＰＯＮの加入者側装置の台数と、前記光アクセス網に接続される前記新規ＰＯＮの加入者側装置の台数との台数比に応じた開放時間帯を設定することを特徴とする請求項１〜４のいずれか１つに記載のＰＯＮシステム。
【請求項６】
前記新規ＰＯＮの加入者側装置を前記光アクセス網に収容して参入させるディスカバリーを行なう場合に、
前記既存ＰＯＮの局側装置が備える第１の帯域制御部は、前記既存ＰＯＮのディスカバリーを行なう際のディスカバリー周期のうちの所定のディスカバリー周期を開放して開放周期を設定し、
前記新規ＰＯＮの局側装置が備える検出部は、前記第１の帯域制御部が開放した開放周期を検出し、前記第２の帯域制御部は前記検出部が検出した開放周期を用いて前記新規ＰＯＮのディスカバリーを行なうことを特徴とする請求項１に記載のＰＯＮシステム。
【請求項７】
既存のＰＯＮである既存ＰＯＮと下り方向および上り方向の伝送速度が異なる新規な新規ＰＯＮを、前記既存ＰＯＮが使用している光アクセス網に収容する際のＰＯＮ接続方法において、
前記既存ＰＯＮの局側装置が前記既存ＰＯＮの上り方向の帯域制御を行なう際に前記既存ＰＯＮの上り方向への帯域のうち所定の時間帯を新規ＰＯＮの帯域として開放するとともに開放した開放時間帯は前記既存ＰＯＮの上り方向の帯域に割当てないよう帯域制御する第１の帯域制御ステップと、
前記新規ＰＯＮの局側装置が前記第１の帯域制御部が開放した開放時間帯を検出する検出ステップと、
前記検出部が検出した開放時間帯を前記新規ＰＯＮの上り方向の帯域に割当てる第２の帯域制御ステップと、
前記開放時間帯に関する情報を含んだ送信許可の信号を、前記既存ＰＯＮとは異なる別波長で前記新規ＰＯＮの下り方向へ送信する第１の送信ステップと、
前記送信許可の信号に対する応答信号を、前記既存ＰＯＮと同じ波長で前記新規ＰＯＮの上り方向へ送信する第２の送信ステップと、
を含むことを特徴とするＰＯＮ接続方法。
【発明の詳細な説明】
【技術分野】
【０００１】
本発明は、既存のＰＯＮとは伝送速度の異なる新規のＰＯＮを既存のＰＯＮが使用している光アクセス網に収容するＰＯＮシステムおよびＰＯＮ接続方法に関するものである。
【背景技術】
【０００２】
近年、光ファイバー網の途中に分岐装置（スプリッタ）を挿入して１本の光ファイバーを複数の加入者側装置に引き込むＰＯＮ（Passive  Optical  Network）に関する技術の開発が進められている。このＰＯＮでは、現在、上り下りともに１Ｇｂｐｓ（Giga  Bit  Per  Second）の信号速度でデータ転送を行なうＰＯＮシステムが普及している。ところが、ユーザーが必要とする伝送容量が不足した場合には、上り下りの速度を現在の伝送速度よりも高速化したＰＯＮシステム（例えば上り下り１０Ｇｂｐｓの信号速度で伝送する１０Ｇ−ＰＯＮシステム）の導入が必要となる。ユーザーの必要帯域は各ユーザーの使用状況に依存するため、新たなＰＯＮへの移行（例えば１Ｇ−ＰＯＮから１０Ｇ−ＰＯＮへの移行）は加入者単位で進行することとなる。【０００３】
上りと下りの伝送速度が異なる非対称のＰＯＮシステムにおいて、上り方向を高速化した加入者側装置を既存のＰＯＮシステムに混在収容（参入）させる技術がある。特許文献１に記載の受動光網ＰＯＮでは、局側装置が上り方向に低速用のビット同期回路と高速用のビット同期回路の２種類を持つことにより、低速信号と高速信号が時分割された上り信号を受信できるようにしている。そして、上りが高速化された新規の加入者側装置は、割り当てられた上りの時間帯に、既存の加入者側装置の上り伝送速度の定数倍の信号速度で上り信号を送信している。これにより、下り信号に多重された制御信号を、既存の加入者側装置と新規の加入者側装置で共通のフォーマットとしている。また、特許文献２に記載のＰＯＮシステムは、予め予備のファイバーを敷設し、ＰＯＮにおけるサービスのアップグレードを別波長で提供している。【０００４】
【特許文献１】特開２００５−３３５３７号公報
【特許文献２】米国特許第７０９５９５８号明細書
【発明の開示】
【発明が解決しようとする課題】
【０００５】
しかしながら、上記前者および後者の従来技術では、ＰＯＮにおいて１つの局側装置に複数（例えば３２個）の加入者側装置が従属接続しているため、複数の加入者側装置のうちの何れかのみを新たなＰＯＮシステムの加入者側装置に置き換えることはできない。このため、ＰＯＮに属する全ての加入者側装装置を一斉に変更するためには、全加入者宅での工事を同時に行なわなければならないといった問題があった。【０００６】
また、上記前者の従来技術では、上り方向の速度とともに下り方向の速度も高速化した加入者側装置を既存のＰＯＮシステムに参入させることができないといった問題があった。また、上記後者の従来技術では、予め予備のファイバー網を敷設しておかなければ加入者側装置単位での装置の置き換えができないため、ＰＯＮシステムの構成が複雑化するとともにファイバー網の敷設工事に費用と時間がかかってしまうといった問題があった。【０００７】
本発明は、上記に鑑みてなされたものであって、加入者側装置毎の新たなＰＯＮシステムへの置き換えを簡易な構成で容易に行なうＰＯＮシステムおよびＰＯＮ接続方法を得ることを目的とする。
【課題を解決するための手段】
【０００８】
上述した課題を解決し、目的を達成するために、本発明は、既存のＰＯＮである既存ＰＯＮと下り方向および上り方向の伝送速度が異なる新規な新規ＰＯＮを、前記既存ＰＯＮが使用している光アクセス網に収容するＰＯＮシステムにおいて、前記新規ＰＯＮは、下り方向の信号を前記既存ＰＯＮとは異なる別波長で送受信するとともに、上り方向の信号は前記既存ＰＯＮと同一波長で送受信し、前記既存ＰＯＮの局側装置は、前記既存ＰＯＮの上り方向の帯域制御を行なう際に前記既存ＰＯＮの上り方向への帯域のうち所定の時間帯を新規ＰＯＮの帯域として開放するとともに開放した開放時間帯は前記既存ＰＯＮの上り方向の帯域に割当てないよう帯域制御する第１の帯域制御部を備え、前記新規ＰＯＮの局側装置は、前記第１の帯域制御部が開放した開放時間帯を検出する検出部と、前記検出部が検出した開放時間帯を前記新規ＰＯＮの上り方向の帯域に割当てる第２の帯域制御部と、を備えることを特徴とする。
【発明の効果】
【０００９】
この発明によれば、既存ＰＯＮの上り方向への帯域のうち所定の時間帯を新規ＰＯＮの帯域として開放し、開放された時間帯を新規ＰＯＮの上り方向の帯域に割当てるので、伝送速度が異なる新規ＰＯＮを既存ＰＯＮが使用している光アクセス網に簡易な構成で容易に収容することが可能になるという効果を奏する。
【図面の簡単な説明】
【００１０】
【図１】図１は、実施の形態１に係るＰＯＮシステムの構成を示すブロック図である。
【図２】図２は、既存ＰＯＮシステムのみが存在している場合のＰＯＮシステムの構成を示す図である。
【図３】図３は、既存ＰＯＮシステムと新規ＰＯＮシステムが存在している場合のＰＯＮシステムの構成を示す図である。
【図４】図４は、新規ＰＯＮシステムのみが存在している場合のＰＯＮシステムの構成を示す図である。
【図５】図５は、図２に示したＰＯＮシステムの動作タイミングを示すタイミングチャートである。
【図６】図６は、図３に示したＰＯＮシステムが既存ＰＯＮシステムに割り当てるデータ送信を許可する時間帯を説明するための図である。
【図７】図７は、図３に示したＰＯＮシステムの動作タイミングを示すタイミングチャートである。
【図８】図８は、図３に示した既存ＰＯＮシステムの動作タイミングを示すタイミングチャートである。
【図９】図９は、図３に示した新規ＰＯＮシステムの動作タイミングを示すタイミングチャートである。
【図１０】図１０は、実施の形態２に係るＰＯＮシステムの構成を示すブロック図である。
【図１１】図１１は、実施の形態３に係るＰＯＮシステムの構成を示すブロック図である。
【図１２】図１２は、図１１に示したＰＯＮシステムの動作タイミングを示すタイミングチャートである。
【図１３】図１３は、図２に示したＰＯＮシステムのディスカバリー手順を示するタイミングチャートである。
【図１４】図１４は、図３に示したＰＯＮシステムが送信する送信許可信号のタイミングを示すタイミングチャートである。
【図１５】図１５は、図３に示したＰＯＮシステムのディスカバリー手順を示すタイミングチャートである。
【符号の説明】
【００１１】
１  既存ＰＯＮシステム
２Ｘ，２Ｙ，２Ｚ  新規ＰＯＮシステム
５Ｘ，５Ｙ，５Ｚ  ＰＯＮシステム
１０  １Ｇ−ＯＬＴ
１１，２１，３１，４１，６１  ＷＤＭ
１２，２２，３２，４２，６２  Ｅ／Ｏ変換部
１３，２３，３３，４３，６３ａ，６３ｂ，７１  Ｏ／Ｅ変換部
１４，２４  バースト同期部
１５，２５，３５，４５  ＭＵＸ部
１６，２６，３６，４６  ＤＭＵＸ部
１７，２７，３７，４７  ＰＯＮ制御部
１８，２８  ネットワークインタフェース部
２０Ｘ，２０Ｙ，２０Ｚ  １０Ｇ−ＯＬＴ
２９  無信号区間検出部
３０  １Ｇ−ＯＮＵ
３８，４８  ユーザインタフェース部
４０  １０Ｇ−ＯＮＵ
５０  光分岐網
５１  光ファイバ
６０  擬似ＯＮＵ
６７  １０Ｇ−ＰＯＮ制御部
６９  １Ｇ−ＰＯＮ制御部
７０  無信号区間検出部
【発明を実施するための最良の形態】
【００１２】
以下に、本発明にかかるＰＯＮシステムおよびＰＯＮ接続方法の実施の形態を図面に基づいて詳細に説明する。なお、この実施の形態によりこの発明が限定されるものではない。【００１３】
実施の形態１．
図１は、実施の形態１に係るＰＯＮシステムの構成を示すブロック図である。ＰＯＮシステム５Ｘは、既存のＰＯＮシステムである既存ＰＯＮシステム１と、新規なＰＯＮシステムである新規ＰＯＮシステム２Ｘと、を有している。ここでは、既存ＰＯＮシステム１が双方向１Ｇｂｐｓの１Ｇ−ＰＯＮシステムであり、新規ＰＯＮシステム２Ｘが双方向１０Ｇｂｐｓの１０Ｇ−ＰＯＮシステムである場合について説明する。【００１４】
本実施の形態では、ＰＯＮシステム５Ｘを構成している既存ＰＯＮシステム１に新規ＰＯＮシステム２Ｘを追加して、新たなＰＯＮシステム５Ｘを構成していく。ここでは、最初のＰＯＮシステム５Ｘを既存ＰＯＮシステム１のみで構成し、その後、新規ＰＯＮシステム２Ｘが追加され、最終的にＰＯＮシステム５Ｘを新規ＰＯＮシステム２Ｘのみで構成する場合について説明する。【００１５】
図１では、既存ＰＯＮシステム１のみで構成されたＰＯＮシステム５Ｘに新規ＰＯＮシステム２Ｘが追加された状態のＰＯＮシステム５Ｘの構成を示している。既存ＰＯＮシステム１は、１Ｇ−ＯＬＴ１０、１Ｇ−ＯＮＵ３０（２）〜１Ｇ−ＯＮＵ３０（ｎ）（ｎは自然数）、光分岐網（光アクセス網）５０で構成されている。また、新規ＰＯＮシステム２Ｘは、１０Ｇ−ＯＬＴ２０Ｘ、１０Ｇ−ＯＮＵ４０（１）、光分岐網５０で構成されている。光分岐網５０は、２入力ｎ出力の光分岐網であり、新規ＰＯＮシステム２Ｘと既存ＰＯＮシステム１を接続する。【００１６】
まず、１Ｇ−ＯＬＴ１０の構成について説明する。１Ｇ−ＯＬＴ１０は、既存ＰＯＮシステム１の局側装置であり、ＷＤＭ（光送受信部）１１、Ｅ／Ｏ変換部１２、Ｏ／Ｅ変換部１３、バースト同期部１４、ＭＵＸ部１５、ＤＭＵＸ部１６、ＰＯＮ制御部１７、ネットワークインタフェース部１８を備えている。【００１７】
ＷＤＭ（Wavelength  Division  Multiplexing）１１は、光分岐網５０と接続するとともに、Ｅ／Ｏ変換部１２、Ｏ／Ｅ変換部１３と接続している。Ｅ／Ｏ変換部１２は、ＭＵＸ部１５に接続し、Ｏ／Ｅ変換部１３はバースト同期部１４を介してＤＭＵＸ部１６に接続している。【００１８】
ＭＵＸ部１５とＤＭＵＸ部１６は、それぞれＰＯＮ制御部１７およびネットワークインタフェース部１８と接続している。ＷＤＭ１１は、上り方向（ＯＮＵからＯＬＴへの方向）の光信号を多重（光分波）し、下り方向（ＯＬＴからＯＮＵへの方向）の光信号を多重（光合波）する。【００１９】
Ｅ／Ｏ変換部（λ２Ｔｘ）１２は、ＭＵＸ部１５からの信号を波長λ２の下り信号にＥ／Ｏ（Electric  to  Optical）変換し、ＷＤＭ１１を介して下り方向へ送信する。Ｏ／Ｅ変換部（λ１Ｒｘ）１３は、ＷＤＭ１１が受信した波長λ１の上り信号（バースト光信号）をＯ／Ｅ（Optical  to  Electric）変換し、バースト同期部１４に入力する。【００２０】
バースト同期部１４は、Ｏ／Ｅ変換部１３でＯ／Ｅ変換された上り信号のビット同期を取り、ＤＭＵＸ部１６に入力する。ＤＭＵＸ部１６は、バースト同期部１４からの上り信号を上りＰＯＮ制御信号とユーザデータに分離する。ＤＭＵＸ部１６は、分離したＰＯＮ制御信号をＰＯＮ制御部１７に入力し、分離したユーザデータをネットワークインタフェース部１８に入力する。ＭＵＸ部１５は、ＰＯＮ制御部１７からの下りＰＯＮ制御信号（ＰＯＮシステム５Ｘを制御するための信号）と、ネットワークインタフェース部１８からのユーザデータを多重して、Ｅ／Ｏ変換部１２に入力する。【００２１】
ＰＯＮ制御部１７は、１Ｇ−ＯＮＵへ送るＰＯＮ制御信号を生成してＭＵＸ部１５に入力する。ＰＯＮ制御部１７は、１Ｇ−ＯＮＵから送られてくるＰＯＮ制御信号をＭＵＸ部１５を介して受信する。ＰＯＮ制御部１７は、自らが生成するＰＯＮ制御信号と１Ｇ−ＯＮＵからのＰＯＮ制御信号に基づいて、１Ｇ−ＯＬＴ１０の動作を制御する。【００２２】
ネットワークインタフェース部１８は、外部装置（図示せず）と接続する通信インタフェースである。ネットワークインタフェース部１８は、外部装置から送られるユーザデータをＭＵＸ部１５に入力し、ＤＭＵＸ部１６から送られるユーザデータを外部装置に送信する。【００２３】
つぎに、１Ｇ−ＯＮＵ３０（２）の構成について説明する。１Ｇ−ＯＮＵ３０（２）は、既存ＰＯＮシステム１の加入者側装置であり、ＷＤＭ３１、Ｅ／Ｏ変換部３２、Ｏ／Ｅ変換部３３、ＭＵＸ部３５、ＤＭＵＸ部３６、ＰＯＮ制御部３７、ユーザインタフェース部３８を備えている。【００２４】
ＷＤＭ３１は、光分岐網５０と接続するとともに、Ｅ／Ｏ変換部３２、Ｏ／Ｅ変換部３３と接続している。Ｅ／Ｏ変換部３２は、ＭＵＸ部３５に接続し、Ｏ／Ｅ変換部３３はＤＭＵＸ部３６に接続している。ＭＵＸ部３５とＤＭＵＸ部３６は、それぞれＰＯＮ制御部３７およびユーザインタフェース部３８と接続している。【００２５】
ＷＤＭ３１、Ｅ／Ｏ変換部３２、Ｏ／Ｅ変換部３３、ＭＵＸ部３５、ＤＭＵＸ部３６、ＰＯＮ制御部３７、ユーザインタフェース部３８は、それぞれＷＤＭ１１、Ｅ／Ｏ変換部１２、Ｏ／Ｅ変換部１３、ＭＵＸ部１５、ＤＭＵＸ部１６、ＰＯＮ制御部１７、ネットワークインタフェース部１８と同様の機能を有している。【００２６】
すなわち、ＷＤＭ３１は、上り方向の光信号を多重（光合波）し、下り方向の光信号を多重（光分波）する。Ｅ／Ｏ変換部（λ１Ｔｘ）３２は、ＭＵＸ部３５からの信号を波長λ１の上り信号にＥ／Ｏ変換し、ＷＤＭ３１を介して上り方向へ送信する。Ｏ／Ｅ変換部（λ２Ｒｘ）３３は、ＷＤＭ３１が受信した波長λ２の下り信号（バースト光信号）をＯ／Ｅ変換し、ＤＭＵＸ部３６に入力する。【００２７】
ＭＵＸ部３５は、ＰＯＮ制御部３７からの上りＰＯＮ制御信号と、ユーザインタフェース部３８からのユーザデータを多重して、Ｅ／Ｏ変換部３２に入力する。ＤＭＵＸ部３６は、Ｏ／Ｅ変換部３３からの下り信号を下りＰＯＮ制御信号とユーザデータに分離する。ＤＭＵＸ部３６は、分離したＰＯＮ制御信号をＰＯＮ制御部３７に入力し、分離したユーザデータをユーザインタフェース部３８に入力する。【００２８】
ＰＯＮ制御部３７は、１Ｇ−ＯＬＴ１０へ送るＰＯＮ制御信号を生成してＭＵＸ部３５に入力する。ＰＯＮ制御部３７は、１Ｇ−ＯＬＴ１０から送られてくるＰＯＮ制御信号をＤＭＵＸ部３６を介して受信し、受信したＰＯＮ制御信号を解析する。ＰＯＮ制御部３７は、自らが生成するＰＯＮ制御信号と１Ｇ−ＯＬＴ１０からのＰＯＮ制御信号に基づいて、１Ｇ−ＯＮＵ３０（２）の動作を制御する。【００２９】
ユーザインタフェース部３８は、外部装置（図示せず）と接続する通信インタフェースである。ユーザインタフェース部３８は、外部装置から送られるユーザデータをＭＵＸ部３５に入力し、ＤＭＵＸ部３６から送られるユーザデータを外部装置に送信する。なお、１Ｇ−ＯＮＵ３０（３）〜１Ｇ−ＯＮＵ３０（ｎ）、後述の１Ｇ−ＯＮＵ３０（１）も１Ｇ−ＯＮＵ３０（２）と同様の構成を有している。【００３０】
つぎに、１０Ｇ−ＯＬＴ２０Ｘの構成について説明する。１０Ｇ−ＯＬＴ２０Ｘは、新規ＰＯＮシステム２Ｘの局側装置であり、ＷＤＭ２１、Ｅ／Ｏ変換部２２、Ｏ／Ｅ変換部２３、バースト同期部２４、ＭＵＸ部２５、ＤＭＵＸ部２６、ＰＯＮ制御部２７、ネットワークインタフェース部２８、無信号区間検出部２９を備えている。【００３１】
ＷＤＭ２１は、光分岐網５０と接続するとともに、Ｅ／Ｏ変換部２２、Ｏ／Ｅ変換部２３と接続している。Ｅ／Ｏ変換部２２は、ＭＵＸ部２５に接続し、Ｏ／Ｅ変換部２３はバースト同期部２４を介してＤＭＵＸ部２６に接続している。ＭＵＸ部２５とＤＭＵＸ部２６は、それぞれＰＯＮ制御部２７およびネットワークインタフェース部２８と接続している。また、本発明の主たる特徴である無信号区間検出部２９は、ＰＯＮ制御部２７およびＯ／Ｅ変換部２３と接続している。【００３２】
無信号区間検出部２９は、Ｏ／Ｅ変換部２３からの上り信号から無信号区間を検出し、ＰＯＮ制御部２７へ通知する。すなわち、ＷＤＭ２１は、上り方向の光信号を多重（光分波）し、下り方向の光信号を多重（光合波）する。【００３３】
ＷＤＭ２１、Ｅ／Ｏ変換部２２、Ｏ／Ｅ変換部２３、バースト同期部２４、ＭＵＸ部２５、ＤＭＵＸ部２６、ＰＯＮ制御部２７、ネットワークインタフェース部２８は、それぞれＷＤＭ１１、Ｅ／Ｏ変換部１２、Ｏ／Ｅ変換部１３、バースト同期部１４、ＭＵＸ部１５、ＤＭＵＸ部１６、ＰＯＮ制御部１７、ネットワークインタフェース部１８と同様の機能を有している。【００３４】
Ｅ／Ｏ変換部（λ３Ｔｘ）２２は、ＭＵＸ部２５からの信号を波長λ３の下り信号にＥ／Ｏ変換し、ＷＤＭ２１を介して下り方向へ送信する。Ｏ／Ｅ変換部（λ１Ｒｘ）２３は、ＷＤＭ２１が受信した波長λ１の上り信号（バースト光信号）をＯ／Ｅ変換し、バースト同期部２４と無信号区間検出部２９に入力する。【００３５】
バースト同期部２４は、Ｏ／Ｅ変換部２３でＯ／Ｅ変換された上り信号のビット同期を取り、ＤＭＵＸ部２６に入力する。ＤＭＵＸ部２６は、バースト同期部２４からの上りバースト信号を上りＰＯＮ制御信号とユーザデータに分離する。ＤＭＵＸ部２６は、分離したＰＯＮ制御信号をＰＯＮ制御部２７に入力し、分離したユーザデータをネットワークインタフェース部２８に入力する。ＭＵＸ部２５は、ＰＯＮ制御部２７からの下りＰＯＮ制御信号と、ネットワークインタフェース部２８からのユーザデータを多重して、Ｅ／Ｏ変換部２２に入力する。【００３６】
ＰＯＮ制御部２７は、１０Ｇ−ＯＮＵ４０（１）へ送るＰＯＮ制御信号を生成してＭＵＸ部２５に入力する。ＰＯＮ制御部２７は、１０Ｇ−ＯＮＵ４０（１）から送られてくるＰＯＮ制御信号をＭＵＸ部２５を介して受信し、受信したＰＯＮ制御信号を解析する。ＰＯＮ制御部２７は、無信号区間検出部２９が検出した上り信号の無信号区間、自らが生成するＰＯＮ制御信号、１０Ｇ−ＯＮＵ４０（１）からのＰＯＮ制御信号に基づいて、１０Ｇ−ＯＬＴ２０Ｘの動作を制御する。【００３７】
ネットワークインタフェース部２８は、外部装置（図示せず）と接続する通信インタフェースである。ネットワークインタフェース部２８は、外部装置から送られるユーザデータをＭＵＸ部２５に入力し、ＤＭＵＸ部２６から送られるユーザデータを外部装置に送信する。【００３８】
つぎに、１０Ｇ−ＯＮＵ４０（１）の構成について説明する。１０Ｇ−ＯＮＵ４０（１）は、新規ＰＯＮシステム２Ｘの加入者側装置であり、ＷＤＭ４１、Ｅ／Ｏ変換部３２、Ｏ／Ｅ変換部４３、ＭＵＸ部４５、ＤＭＵＸ部４６、ＰＯＮ制御部４７、ユーザインタフェース部４８を備えている。【００３９】
ＷＤＭ４１は、光分岐網５０と接続するとともに、Ｅ／Ｏ変換部４２、Ｏ／Ｅ変換部４３と接続している。Ｅ／Ｏ変換部４２は、ＭＵＸ部４５に接続し、Ｏ／Ｅ変換部４３はＤＭＵＸ部４６に接続している。ＭＵＸ部４５とＤＭＵＸ部４６は、それぞれＰＯＮ制御部４７およびユーザインタフェース部４８と接続している。【００４０】
ＷＤＭ４１、Ｅ／Ｏ変換部４２、Ｏ／Ｅ変換部４３、ＭＵＸ部４５、ＤＭＵＸ部４６、ＰＯＮ制御部４７、ユーザインタフェース部４８は、それぞれＷＤＭ１１、Ｅ／Ｏ変換部１２、Ｏ／Ｅ変換部１３、ＭＵＸ部１５、ＤＭＵＸ部１６、ＰＯＮ制御部１７、ネットワークインタフェース部１８と同様の機能を有している。【００４１】
すなわち、ＷＤＭ４１は、上り方向の光信号を多重（光合波）し、下り方向の光信号を多重（光分波）する。Ｅ／Ｏ変換部（λ１Ｔｘ）４２は、ＭＵＸ部４５からの信号を波長λ１の信号にをＥ／Ｏ変換し、ＷＤＭ３１を介して上り方向へ送信する。Ｏ／Ｅ変換部（λ３Ｒｘ）４３は、ＷＤＭ４１が受信した波長λ３の下り信号（バースト光信号）をＯ／Ｅ変換し、ＤＭＵＸ部４６に入力する。【００４２】
ＭＵＸ部４５は、ＰＯＮ制御部４７からの上りＰＯＮ制御信号と、ユーザインタフェース部４８からのユーザデータを多重して、Ｅ／Ｏ変換部４２に入力する。ＤＭＵＸ部４６は、Ｏ／Ｅ変換部４３からの下り信号を下りＰＯＮ制御信号とユーザデータに分離する。ＤＭＵＸ部４６は、分離したＰＯＮ制御信号をＰＯＮ制御部４７に入力し、分離したユーザデータをユーザインタフェース部４８に入力する。【００４３】
ＰＯＮ制御部４７は、１０Ｇ−ＯＬＴ２０Ｘへ送るＰＯＮ制御信号を生成してＭＵＸ部４５に入力する。ＰＯＮ制御部４７は、１０Ｇ−ＯＬＴ２０Ｘから送られてくるＰＯＮ制御信号をＤＭＵＸ部４６を介して受信し、受信したＰＯＮ制御信号を解析する。ＰＯＮ制御部４７は、自らが生成するＰＯＮ制御信号と１０Ｇ−ＯＬＴ２０ＸからのＰＯＮ制御信号に基づいて、１０Ｇ−ＯＮＵ４０（１）の動作を制御する。【００４４】
ユーザインタフェース部４８は、外部装置（図示せず）と接続する通信インタフェースである。ユーザインタフェース部４８は、外部装置から送られるユーザデータをＭＵＸ部４５に入力し、ＤＭＵＸ部４６から送られるユーザデータを外部装置に送信する。なお、後述の１０Ｇ−ＯＮＵ４０（２）〜１０Ｇ−ＯＮＵ４０（ｎ）も１０Ｇ−ＯＮＵ４０（１）と同様の構成を有している。【００４５】
以下の説明では、１Ｇ−ＯＮＵ３０（１）〜３０（ｎ）を説明の便宜上、１Ｇ−ＯＮＵ３０または１Ｇ−ＯＮＵという場合がある。また、１０Ｇ−ＯＮＵ４０（１）〜４０（ｎ）を説明の便宜上、１０Ｇ−ＯＮＵ４０または１０Ｇ−ＯＮＵという場合がある。【００４６】
つぎに、ＰＯＮシステム５Ｘの構成の変化について説明する。例えば、最初のＰＯＮシステム５Ｘは、１Ｇ−ＯＬＴ１０、１Ｇ−ＯＮＵ３０（１）〜１Ｇ−ＯＮＵ３０（ｎ）、光分岐網５０で構成された既存ＰＯＮシステム１を有している。その後、１０Ｇ−ＯＬＴ２０Ｘを追加し、１Ｇ−ＯＮＵ３０（１）を１０Ｇ−ＯＮＵ４０（１）に置き換えることによって、ＰＯＮシステム５Ｘに新規ＰＯＮシステム２Ｘを追加する。この後、各１Ｇ−ＯＮＵ３０（２）〜１Ｇ−ＯＮＵ３０（ｎ）を順番に１０Ｇ−ＯＮＵ４０（２）〜１０Ｇ−ＯＮＵ４０（ｎ）に置き換えていく。そして、最終的なＰＯＮシステム５Ｘを、１０Ｇ−ＯＬＴ２０Ｘ、１０Ｇ−ＯＮＵ４０（１）〜１Ｇ−ＯＮＵ３０（ｎ）で構成する。【００４７】
ここで、既存ＰＯＮシステム１のみが存在している場合のＰＯＮシステム５Ｘの構成、既存ＰＯＮシステム１と新規ＰＯＮシステム２Ｘが存在している場合のＰＯＮシステム５Ｘの構成、新規ＰＯＮシステム２Ｘのみが存在している場合のＰＯＮシステム５Ｘの構成について説明する。【００４８】
図２は、既存ＰＯＮシステムのみが存在している場合のＰＯＮシステムの構成を示す図である。既存ＰＯＮシステム１のみが存在している場合のＰＯＮシステム５Ｘでは、各１Ｇ−ＯＮＵ３０（１）〜３０（ｎ）を、光分岐網５０を介して１Ｇ−ＯＬＴ１０に接続している。そして、上り方向は波長λ１を用いててデータ伝送し、下り方向は波長λ２を用いてデータ伝送する。【００４９】
図３は、既存ＰＯＮシステムと新規ＰＯＮシステムが存在している場合のＰＯＮシステムの構成を示す図である。図３では、ＰＯＮシステム５Ｘにおいて、光分岐網５０を既存ＰＯＮシステム１と新規ＰＯＮシステム２Ｘで共有しながら、１０Ｇ対応のＯＬＴ（１０Ｇ−ＯＬＴ１０）と１０Ｇ−ＯＮＵ３０（１）が設置された状態を示している。【００５０】
既存ＰＯＮシステム２Ｘと新規ＰＯＮシステム１が存在している場合のＰＯＮシステム５Ｘでは、既存ＰＯＮシステム１と新規ＰＯＮシステム２Ｘで下り方向は異なる波長を使用し、上り方向については同一波長を使用し帯域を共用する。具体的には、既存ＰＯＮシステム１の１Ｇ−ＰＯＮ３０（２）〜３０（ｎ）では、上り方向の波長に波長λ１を使用し、下り方向の波長に波長λ２を使用する。一方、新規ＰＯＮシステム２Ｘの１０Ｇ−ＰＯＮ４０（１）は、上り方向の波長に波長λ１を使用し、下り方向の波長に波長λ３を使用する。【００５１】
図４は、新規ＰＯＮシステムのみが存在している場合のＰＯＮシステムの構成を示す図である。図４では、ＰＯＮシステム５Ｘにおいて、全での加入者側装置が１０Ｇ−ＰＯＮ（１０Ｇ−ＯＮＵ３０（１）〜３０（ｎ））に移行した状態を示している。【００５２】
新規ＰＯＮシステム２Ｘのみが存在している場合のＰＯＮシステム５Ｘでは、各１０Ｇ−ＯＮＵ４０（１）〜４０（ｎ）を、光分岐網５０を介して１０Ｇ−ＯＬＴ２０Ｘに接続している。そして、上り方向は波長λ１を用いててデータ伝送し、下り方向は波長λ３を用いてデータ伝送する。【００５３】
図２〜図４に示した各ＰＯＮシステム５Ｘでは、上り方向の送信タイミングは下り方向から送られる多重されたＰＯＮ制御信号によって指示される。すなわち、１Ｇ−ＰＯＮの加入者側装置は、波長λ２の下り信号に多重されたＰＯＮ制御信号で上り方向の送信タイミングが指示される。一方、１０Ｇ−ＰＯＮの加入者側装置は、波長λ２の下り信号に多重されたＰＯＮ制御信号で上り方向の送信タイミングが指示される。【００５４】
つぎに、図２および図３に示した各ＰＯＮシステム５Ｘの動作タイミングについて説明する。図５は、図２に示したＰＯＮシステムの動作タイミングを示すタイミングチャートである。ＰＯＮシステム５Ｘでは、１Ｇ−ＯＬＴ１０が所定の帯域更新周期Ｔで周期的に１Ｇ−ＯＮＵ３０へのグラント割当を行っている。ここでの１Ｇ−ＯＬＴ１０（Ｔｘ）は、全ての帯域更新周期Ｔを１Ｇ−ＯＮＵ３０（１Ｇ領域）のみに割り当てている。具体的には、１Ｇ−ＯＬＴ１０のＰＯＮ制御部１７が、各１Ｇ−ＯＮＵ３０に対して帯域更新周期Ｔを割り当てることによって、各１Ｇ−ＯＮＵ３０に送信許可（送信許可情報）を与えている。そして、各１Ｇ−ＯＮＵ３０では、自装置に割り当てられた送信許可に基づいて、上り方向のデータ送信を行なう。１Ｇ−ＯＬＴ１０では、１Ｇ−ＯＮＵ３０から送られる信号からユーザデータ抽出し、ネットワークインタフェース部１８を介して外部装置に送信する。【００５５】
図６は、図３に示したＰＯＮシステムが既存ＰＯＮシステムに割り当てるデータ送信を許可する時間帯を説明するための図である。図３に示したＰＯＮシステム５Ｘでも、１Ｇ−ＯＬＴ１０が所定の帯域更新周期Ｔで周期的に１Ｇ−ＯＮＵ３０へのグラント割当を行っている。ここでの１Ｇ−ＯＬＴ１０（Ｔｘ）は、各帯域更新周期Ｔ内の一部の時間を新規ＰＯＮシステム２Ｘが使用できるよう開放し、残った帯域更新周期Ｔ内の一部の時間を１Ｇ−ＯＮＵ３０（１Ｇ領域）に割り当てる。各１Ｇ−ＯＮＵ３０は、自装置に割り当てられた送信許可に基づいて、帯域更新周期Ｔ内の一部の時間（データ送信を許可する時間帯）内だけ上り方向のデータ送信を行なう。【００５６】
図７は、図３に示したＰＯＮシステムの動作タイミングを示すタイミングチャートである。１Ｇ−ＯＬＴ１０（Ｔｘ）は、帯域更新周期Ｔ内のうち開放した時間帯（開放時間帯）を除いた時間帯（残りの時間帯）を各１Ｇ−ＯＮＵ３０に割り当てる。１０Ｇ−ＯＬＴ２０Ｘ（Ｔｘ）は、１Ｇ−ＯＬＴ１０（Ｔｘ）によって開放された時間帯（各帯域更新周期Ｔ内の一部の時間）を１０Ｇ−ＯＮＵ４０に割り当てる。【００５７】
具体的には、１Ｇ−ＯＬＴ１０のＰＯＮ制御部１７が、帯域更新周期Ｔ内のうち開放した時間帯（１０Ｇ領域）を除いた時間帯（１Ｇ領域）を各１Ｇ−ＯＮＵ３０に割り当てる。そして、１０Ｇ−ＯＬＴ２０ＸのＰＯＮ制御部２７が、１０Ｇ−ＯＮＵ４０に対して帯域更新周期Ｔ内のうち開放された時間帯（１０Ｇ領域）を割り当てる。【００５８】
各帯域更新周期Ｔのうち、１Ｇ−ＯＮＵ３０に割り当てる時間と１０Ｇ−ＯＮＵ４０に割り当てる時間の比は、例えば光分岐網５０に接続されている１Ｇ−ＯＮＵ３０の台数と１０Ｇ−ＯＮＵ４０の台数の台数比に応じて設定する。【００５９】
１Ｇ−ＯＮＵ３０では自装置に割り当てられた送信許可に基づいて上り方向のデータ送信を行ない、１０Ｇ−ＯＮＵ４０では、自装置に割り当てられた送信許可に基づいてで上り方向のデータ伝送を行なう。１Ｇ−ＯＬＴ１０では、１Ｇ−ＯＮＵ３０から送られる信号からユーザデータを抽出し、ネットワークインタフェース部１８を介して外部装置に送信する。１０Ｇ−ＯＬＴ２０Ｘでは、１０Ｇ−ＯＮＵ４０から送られる信号からユーザデータを抽出し、ネットワークインタフェース部１８を介して外部装置に送信する。【００６０】
つぎに、図３に示したＰＯＮシステム５Ｘの詳細な動作タイミングについて説明する。図８は、図３に示した既存ＰＯＮシステムの動作タイミングを示すタイミングチャートである。ここでは、図３に示した既存ＰＯＮシステム１の動作タイミングの一例として、１Ｇ−ＯＬＴ１０が２つの１Ｇ−ＯＮＵ（＃Ａ）と１Ｇ−ＯＮＵ（＃Ｂ）に送信許可を与える場合について説明する。なお、ここでの１Ｇ−ＯＮＵ（＃Ａ）と１Ｇ−ＯＮＵ（＃Ｂ）は、１Ｇ−ＯＮＵ３０（２）〜３０（ｎ）の何れかである。【００６１】
既存ＰＯＮシステム１（１Ｇ−ＰＯＮシステム）の１Ｇ−ＯＬＴ１０（局側装置）では、ＰＯＮ制御部１７が内部にカウンタを有しており、下り方向のＰＯＮ制御信号にカウンタ値（タイムスタンプ）を含めることによって、各１Ｇ−ＯＮＵ３０（加入者側装置）を同期させる。【００６２】
ＰＯＮ制御部１７は、帯域更新周期Ｔで各１Ｇ−ＯＮＵ３０の送信タイミング（送信許可を与える時間帯）を算出する。ＰＯＮ制御部１７は、図８に示すように、帯域更新周期ＴのうちＴＮの時間を新規ＰＯＮシステム２Ｘ用の領域に設定（開放）する。また、ＰＯＮ制御部１７は、領域（Ｔ−ＴＮ）の時間を既存ＰＯＮシステム１用の領域に設定し、１Ｇ−ＯＮＵに割り当てる。すなわち、ＴＮを１０Ｇ−ＰＯＮ用の時間帯に割り当てるとともに、領域（Ｔ−ＴＮ）を１Ｇ−ＰＯＮ用の時間帯に割り当てる。【００６３】
ここでのＰＯＮ制御部１７は、領域（Ｔ−ＴＮ）の時間のうち、ｔ１（０）〜ｔ１（ａ）までの時間帯を１Ｇ−ＯＮＵ（＃Ａ）に割り当てるとともに、ｔ１（ａ）〜ｔ１（ｂ）までの時間帯を１Ｇ−ＯＮＵ（＃Ｂ）に割り当てる。【００６４】
また、ＰＯＮ制御部１７は、ｔ１（ｂ）〜Ｔ２（０）までの時間帯（ＴＮ）が新規ＰＯＮシステム２Ｘ用の領域であるので、ｔ１（ｂ）〜Ｔ２（０）までの時間帯を、存在しない加入者側装置を指定して送信許可するか、あるいは何れの加入者側装置にも送信許可を与えない時間帯とする。【００６５】
ＰＯＮ制御部１７からの送信許可信号（ＰＯＮ制御信号）は、帯域更新周期Ｔ毎に最初に上り方向の受信を開始する時点（１Ｇ−ＯＮＵ（＃Ａ）からの上り信号を受信する時点）よりもＲＴＴ（Round  Trip  Time）だけ前に、１Ｇ−ＯＮＵ（＃Ａ）と１Ｇ−ＯＮＵ（＃Ｂ）に送信しておく。【００６６】
図９は、図３に示した新規ＰＯＮシステムの動作タイミングを示すタイミングチャートである。ここでは、図３に示した新規ＰＯＮシステム２Ｘの動作タイミングの一例として、１０Ｇ−ＯＬＴ２０Ｘが１０Ｇ−ＯＮＵ４０に送信許可を与える場合について説明する。【００６７】
１０Ｇ−ＯＬＴ２０Ｘの無信号区間検出部２９は、１Ｇ−ＯＮＵ（＃Ａ）や１Ｇ−ＯＮＵ（＃Ｂ）から送信される上り方向の信号の中から無信号区間を検出する。ここでの無信号区間検出部２９は、帯域更新周期Ｔのうち、１Ｇ−ＯＮＵ（＃Ａ）と１Ｇ−ＯＮＵ（＃Ｂ）に割り当てられる領域（Ｔ−ＴＮ）の時間帯に上り方向の信号を検出し、１Ｇ−ＯＬＴ１０が開放するＴＮの時間帯に無信号区間を検出する。【００６８】
図９に示すように、無信号区間検出部２９は、例えば上り方向の信号を受信している期間は「Ｈｉｇｈ」の検出信号を生成し、上り方向の信号を受信していない期間は「Ｌｏｗ」の検出信号を生成する。すなわち、無信号区間検出部２９は、１Ｇ−ＯＬＴ１０にて帯域更新周期Ｔと１周期における１０Ｇ−ＰＯＮ用の領域ＴＮが設定されると、帯域更新周期Ｔの先頭で立ち上がりエッジのある波形を生成するとともに、領域ＴＮの先頭で立ち下がりエッジのある波形を生成する。無信号区間検出部２９は、生成したエッジ波形（無信号区間検出信号）をＰＯＮ制御部２７に入力する。【００６９】
ＰＯＮ制御部２７は、無信号区間検出部２９からのエッジ波形に基づいて、帯域更新周期Ｔと１０Ｇ−ＰＯＮ用の領域ＴＮを設定する。そして、ＰＯＮ制御部２７は、無信号区間検出部２９が受信した無信号区間検出信号に基づいて１Ｇ−ＯＬＴ１０との同期を取る。さらに、ＰＯＮ制御部２７は、１０Ｇ−ＰＯＮ用の領域ＴＮの時刻を認識し、１０Ｇ−ＰＯＮ用の領域ＴＮのＲＴＴ前に１０Ｇ−ＯＮＵに送信許可信号を送信する。【００７０】
１０Ｇ−ＯＮＵでは、１０Ｇ−ＯＬＴからの送信許可信号に基づいて、所定のタイミングで上り信号の送信を行なう。この１０Ｇ−ＯＮＵからの上りバースト信号は、１０Ｇ−ＯＬＴのバースト同期部１４でビット同期が取られることとなる。【００７１】
なお、本実施の形態では、既存ＰＯＮシステム１が双方向１Ｇｂｐｓの１Ｇ−ＰＯＮシステムである場合について説明したが、既存ＰＯＮシステム１を１Ｇ−ＰＯＮシステム以外のＰＯＮシステムで構成してもよい。【００７２】
また、本実施の形態では、新規ＰＯＮシステム２Ｘが双方向１０Ｇｂｐｓの１０Ｇ−ＰＯＮシステムである場合について説明したが、新規ＰＯＮシステム２Ｘを１０Ｇ−ＰＯＮシステム以外のＰＯＮシステムで構成してもよい。【００７３】
また、本実施の形態では、ＰＯＮ制御部１７からの送信許可信号は、帯域更新周期Ｔ毎に最初に上り方向の受信を開始する時点よりもＲＴＴだけ前に、１Ｇ−ＯＮＵ（＃Ａ）、１Ｇ−ＯＮＵ（＃Ｂ）に送信しておくこととしたが、ＲＴＴ以上前に送信しておいてもよい。この場合は、送信許可信号に、ＲＴＴよりもどれだけ前に送信許可信号を送信しているかを示す情報（１Ｇ−ＯＮＵに送信許可を与えるタイミングを示す情報）を含めておく。【００７４】
このように実施の形態１によれば、新規ＰＯＮシステム２Ｘでは、光分岐網５０を既存ＰＯＮシステム１と共用して下り信号の波長に既存ＰＯＮシステム１とは異なる別の波長λ３を使用し、既存ＰＯＮシステム１が使用しない時間帯の情報を上り信号に基づいて自律的に検出して使用するので、既存ＰＯＮシステム１の運用に影響を与えることなくユーザ単位（加入者側端末毎）で新規ＰＯＮシステム２Ｘに移行することが可能となる。したがって、加入者側装置毎の新規ＰＯＮシステム２Ｘへの置き換えを簡易な構成で容易に行なうことが可能となる。【００７５】
また、各帯域更新周期Ｔのうち、１Ｇ−ＯＮＵ３０に割り当てる時間と１０Ｇ−ＯＮＵ４０に割り当てる時間の比を光分岐網５０に接続されている１Ｇ−ＯＮＵ３０の台数と１０Ｇ−ＯＮＵ４０の台数の台数比に応じて設定するので、台数比に応じた適切な時間を１Ｇ−ＯＮＵ３０と１０Ｇ−ＯＮＵ４０に割り当てることができ、既存ＰＯＮシステム１と新規ＰＯＮシステム２Ｘで効率良く信号の送受信を行うことが可能となる。【００７６】
実施の形態２．
つぎに、図８〜図１０を用いてこの発明の実施の形態２について説明する。実施の形態１では新規ＰＯＮシステムが既存ＰＯＮシステム１の上り信号をモニタすることによって、自システムで使用可能な上りの時間帯（無信号区間）を検出したが、実施の形態２では新規ＰＯＮシステムが既存ＰＯＮシステム１の下り信号をモニタすることによって、自システムで使用可能な上りの時間帯（無信号区間）を検出する。【００７７】
図１０は、実施の形態２に係るＰＯＮシステムの構成を示すブロック図である。図１０の各構成要素のうち図１に示す実施の形態１のＰＯＮシステム５Ｘと同一機能を達成する構成要素については同一番号を付しており、重複する説明は省略する。【００７８】
ＰＯＮシステム５Ｙは、既存ＰＯＮシステム１と、新規ＰＯＮシステム２Ｙと、を有している。ここでは、新規ＰＯＮシステム２Ｙが実施の形態１の新規ＰＯＮシステム２Ｘと同様に、双方向１０Ｇｂｐｓの１０Ｇ−ＰＯＮシステムである場合について説明する。【００７９】
本実施の形態では、既存ＰＯＮシステム１に新規ＰＯＮシステム２Ｙを追加して、新たなＰＯＮシステム５Ｙを構成していく。ここでは、最初のＰＯＮシステム５Ｙを既存ＰＯＮシステム１のみで構成し、その後、新規ＰＯＮシステム２Ｙが追加され、最終的にＰＯＮシステム５Ｙを新規ＰＯＮシステム２Ｙのみで構成する場合について説明する。【００８０】
図１０では、既存ＰＯＮシステム１のみで構成されたＰＯＮシステム５Ｙに新規ＰＯＮシステム２Ｙが追加された状態のＰＯＮシステム５Ｙの構成を示している。新規ＰＯＮシステム２Ｙは、１０Ｇ−ＯＬＴ２０Ｙ、１０Ｇ−ＯＮＵ４０（１）、光分岐網５０で構成されている。光分岐網５０は、２入力ｎ出力の光分岐網であり、新規ＰＯＮシステム２Ｙと既存ＰＯＮシステム１を接続する。また、本実施の形態では、光分岐網５０の加入者側から光ファイバ５１を引き回して１０Ｇ−ＯＬＴ２０Ｙに接続している。【００８１】
つぎに、１０Ｇ−ＯＬＴ２０Ｙの構成について説明する。１０Ｇ−ＯＬＴ２０Ｙは、新規ＰＯＮシステム２Ｙの局側装置であり、ＷＤＭ２１、Ｅ／Ｏ変換部２２、Ｏ／Ｅ変換部２３、バースト同期部２４、ＭＵＸ部２５、ＤＭＵＸ部２６、ＰＯＮ制御部２７、ネットワークインタフェース部２８に加えて、無信号区間検出部７０とＯ／Ｅ変換部７１を備えている。【００８２】
Ｏ／Ｅ変換部７１は、光ファイバ５１を介して光分岐網５０と接続し、無信号区間検出部７０は、Ｏ／Ｅ変換部７１およびＰＯＮ制御部２７に接続している。Ｏ／Ｅ変換部（λ２Ｒｘ）７１は、光ファイバ５１を介して受信した１Ｇ−ＯＬＴ１０からの波長λ２の下り信号をＯ／Ｅ変換し、無信号区間検出部７０に入力する。【００８３】
無信号区間検出部７０は、１Ｇ−ＯＬＴ１０からの下り信号に多重された送信許可信号中のタイムスタンプと送信許可情報（送信許可された時間帯を示す情報）を解析し、この解析結果として上りの１０Ｇ−ＰＯＮ用の時間帯（無信号区間）を検出する。無信号区間検出部７０は、検出した上りの１０Ｇ−ＰＯＮ用の時間帯をＰＯＮ制御部２７に入力する。【００８４】
ＰＯＮ制御部２７は、無信号区間検出部７０が検出した上りの１０Ｇ−ＰＯＮ用の時間帯、自らが生成するＰＯＮ制御信号、１０Ｇ−ＯＮＵ４０（１）からのＰＯＮ制御信号に基づいて、１０Ｇ−ＯＬＴ２０Ｙの動作を制御する。【００８５】
ここで、図８を参照して上りの１０Ｇ−ＰＯＮ用の時間帯の検出処理について説明する。無信号区間検出部７０は、存在しない加入者側装置を指定して１Ｇ−ＯＬＴ１０に送信許可された時間帯ｔ１（ｂ）〜ｔ２（０）をモニタするか、または全ての加入者側装置に送信許可した時間帯ｔ１（０）〜ｔ１（ａ）、ｔ１（ａ）〜ｔ１（ｂ）、ｔ２（０）〜ｔ２（ａ）、ｔ２（ａ）〜ｔ２（ｂ）をモニタして上りの１０Ｇ−ＰＯＮ用の時間帯を検出する。【００８６】
存在しない加入者側装置を指定して送信許可された時間帯ｔ１（ｂ）〜ｔ２（０）をモニタした場合は、モニタした時間帯ｔ１（ｂ）〜ｔ２（０）が１０Ｇ−ＰＯＮ用の時間帯としてを検出される。【００８７】
全ての加入者側装置に送信許可した時間帯をモニタする場合は、モニタして残った時間帯（領域）として時間帯ｔ１（ｂ）〜ｔ２（０）が抽出され、抽出された時間帯が１０Ｇ−ＰＯＮ用の時間帯として検出される。【００８８】
つぎに、図９を参照して実施の形態２に係るＰＯＮシステム５Ｙにおける新規ＰＯＮシステム２Ｙの動作タイミングを説明する。図９に示すように、無信号区間検出部７０は、例えば上り方向の信号を受信している期間は「Ｈｉｇｈ」の検出信号を生成し、上り方向の信号を受信していない期間は「Ｌｏｗ」の検出信号を生成する。すなわち、無信号区間検出部７０は、１Ｇ−ＯＬＴ１０にて帯域更新周期Ｔと１周期における１０Ｇ−ＰＯＮ用の領域ＴＮが設定されると、帯域更新周期Ｔの先頭で立ち上がりエッジのある波形を生成するとともに、領域ＴＮの先頭で立ち下がりエッジのある波形を生成する。無信号区間検出部７０は、生成したエッジ波形（無信号区間検出信号）をＰＯＮ制御部２７に入力する。【００８９】
ＰＯＮ制御部２７は、無信号区間検出部７０からのエッジ波形に基づいて、帯域更新周期Ｔと１０Ｇ−ＰＯＮ用の領域ＴＮを設定する。そして、ＰＯＮ制御部２７は、無信号区間検出部７０が受信した無信号区間検出信号に基づいて１Ｇ−ＯＬＴ１０との同期を取る。さらに、１０Ｇ−ＰＯＮ用の領域ＴＮの時刻を認識し、１０Ｇ−ＰＯＮ用の領域ＴＮのＲＴＴ前に１０Ｇ−ＯＮＵに送信許可信号を送信する。【００９０】
１０Ｇ−ＯＮＵ４０では、１０Ｇ−ＯＬＴ２０Ｙからの送信許可信号に基づいて、所定のタイミングで上り信号の送信を行なう。この１０Ｇ−ＯＮＵ４０からの上り信号は、１０Ｇ−ＯＬＴ２０Ｙのバースト同期部１４でビット同期が取られることとなる。【００９１】
なお、本実施の形態では、光分岐網５０の加入者側から光ファイバ５１を引き回して１０Ｇ−ＯＬＴ２０Ｙに接続する構成としたが、光分岐網５０の加入者側とは異なる別の位置から光ファイバ５１を引き回して１０Ｇ−ＯＬＴ２０Ｙに接続してもよい。この場合も、光分岐網５０の加入者側から光ファイバ５１を引き回して１０Ｇ−ＯＬＴ２０Ｙに接続した場合と同様の効果が得られる。【００９２】
このように実施の形態２によれば、新規ＰＯＮシステム２Ｙでは、光分岐網５０を既存ＰＯＮシステム１と共用して下り信号の波長に既存ＰＯＮシステム１とは異なる別の波長λ３を使用し、既存ＰＯＮシステム１が使用しない時間帯の情報を下り信号に基づいて自律的に検出して使用するので、既存ＰＯＮシステム１の運用に影響を与えることなくユーザ単位（加入者側端末毎）で新規ＰＯＮシステム２Ｙに移行することが可能となる。また、既存ＰＯＮシステム１の１Ｇ−ＯＬＴ１０から送られる下り信号に基づいて、既存ＰＯＮシステム１が使用しない時間帯（１０Ｇ−ＰＯＮ用の時間帯）の情報を検出しているので、１Ｇ−ＯＮＵ３０が停止している場合であっても、容易に新規ＰＯＮシステム２Ｙに移行することが可能となる。【００９３】
実施の形態３．
つぎに、図１１および図１２を用いてこの発明の実施の形態３について説明する。実施の形態３では光分岐網にタイミング調整を行う擬似的な加入者側装置（後述の擬似ＯＮＵ６０）を接続することによって、既存ＰＯＮシステムと新規ＰＯＮシステムのタイミングを同期させる。【００９４】
図１１は、実施の形態３に係るＰＯＮシステムの構成を示すブロック図である。図１１の各構成要素のうち図１に示す実施の形態１のＰＯＮシステム５Ｘと同一機能を達成する構成要素については同一番号を付しており、重複する説明は省略する。【００９５】
ＰＯＮシステム５Ｚは、既存ＰＯＮシステム１と、新規ＰＯＮシステム２Ｚと、擬似ＯＮＵ（擬似加入者側装置）６０を有している。ここでは、新規ＰＯＮシステム２Ｚが実施の形態１の新規ＰＯＮシステム２Ｘと同様に、双方向１０Ｇｂｐｓの１０Ｇ−ＰＯＮシステムである場合について説明する。【００９６】
本実施の形態では、既存ＰＯＮシステム１に新規ＰＯＮシステム２Ｚを追加して、新たなＰＯＮシステム５Ｚを構成していく。ここでは、最初のＰＯＮシステム５Ｚを既存ＰＯＮシステム１のみで構成し、その後、新規ＰＯＮシステム２Ｚが追加され、最終的にＰＯＮシステム５Ｚを新規ＰＯＮシステム２Ｚのみで構成する場合について説明する。【００９７】
図１１では、既存ＰＯＮシステム１と擬似ＯＮＵ６０で構成されたＰＯＮシステム５Ｚに新規ＰＯＮシステム２Ｚが追加された状態のＰＯＮシステム５Ｚの構成を示している。新規ＰＯＮシステム２Ｚは、１０Ｇ−ＯＬＴ２０Ｚ、１０Ｇ−ＯＮＵ４０（１）、光分岐網５０で構成されている。光分岐網５０は、２入力（ｎ＋１）出力の光分岐網であり、新規ＰＯＮシステム２Ｚ、既存ＰＯＮシステム１、擬似ＯＮＵ６０を接続する。【００９８】
つぎに、擬似ＯＮＵ６０の構成について説明する。擬似ＯＮＵ６０は、ＷＤＭ６１、Ｏ／Ｅ変換部６３ａ，６３ｂ、Ｅ／Ｏ変換部６２、１０Ｇ−ＰＯＮ制御部（情報生成部）６７、１Ｇ−ＰＯＮ制御部６９を備えている。【００９９】
ＷＤＭ６１は、光分岐網５０と接続するとともに、Ｏ／Ｅ変換部６３ａ，６３ｂ、Ｅ／Ｏ変換部６２と接続している。Ｏ／Ｅ変換部６３ａは、１０Ｇ−ＰＯＮ制御部６７に接続し、Ｏ／Ｅ変換部６３ｂは、１Ｇ−ＰＯＮ制御部６９に接続している。また、１Ｇ−ＰＯＮ制御部６９は１０Ｇ−ＰＯＮ制御部６７に接続し、１０Ｇ−ＰＯＮ制御部６７は、Ｅ／Ｏ変換部６２に接続している。【０１００】
ＷＤＭ６１、Ｏ／Ｅ変換部６３ａ，６３ｂ、Ｅ／Ｏ変換部６２は、それぞれＷＤＭ１１、Ｏ／Ｅ変換部１３、Ｅ／Ｏ変換部１２、ＰＯＮ制御部１７と同様の機能を有している。すなわち、ＷＤＭ６１は、上り方向の光信号を多重（光合波）し、下り方向の光信号を多重（光分波）する。【０１０１】
Ｏ／Ｅ変換部（λ３Ｒｘ）６３ａは、ＷＤＭ６１が受信した波長λ３の下り信号（バースト光信号）をＯ／Ｅ変換し、１０Ｇ−ＰＯＮ制御部６７に入力する。Ｏ／Ｅ変換部（λ２Ｒｘ）６３ｂは、ＷＤＭ６１が受信した波長λ２の下り信号（バースト光信号）をＯ／Ｅ変換し、１Ｇ−ＰＯＮ制御部６９に入力する。Ｅ／Ｏ変換部（λ１Ｔｘ）６２は、１０Ｇ−ＰＯＮ制御部６７からの信号を波長λ１の光信号にＥ／Ｏ変換し、ＷＤＭ６１を介して上り方向へ送信する。【０１０２】
１Ｇ−ＰＯＮ制御部６９は、１Ｇ−ＯＬＴ１０から送られてくる波長λ２のＰＯＮ制御信号をＯ／Ｅ変換部６３ｂを介して受信し、受信したＰＯＮ制御信号を解析する。１Ｇ−ＰＯＮ制御部６９は、解析したＰＯＮ信号に基づいて、１Ｇ−ＯＬＴ１０へ送るＰＯＮ制御信号を生成し１０Ｇ−ＰＯＮ制御部６７に入力する。【０１０３】
１０Ｇ−ＰＯＮ制御部６７は、１０Ｇ−ＯＬＴ２０Ｚから送られてくる波長λ３のＰＯＮ制御信号をＯ／Ｅ変換部６３ａを介して受信し、受信したＰＯＮ制御信号を解析する。１０Ｇ−ＰＯＮ制御部６７は、解析したＰＯＮ信号に基づいて、１０Ｇ−ＯＬＴ２０Ｚへ送るＰＯＮ制御信号を生成する。１０Ｇ−ＰＯＮ制御部６７は、生成したＰＯＮ制御信号や、１Ｇ−ＰＯＮ制御部６９からのＰＯＮ制御信号をＥ／Ｏ変換部６２に入力する。【０１０４】
つぎに、１０Ｇ−ＯＬＴ２０Ｚの構成について説明する。１０Ｇ−ＯＬＴ２０Ｚは、新規ＰＯＮシステム２Ｚの局側装置であり、ＷＤＭ２１、Ｅ／Ｏ変換部２２、Ｏ／Ｅ変換部２３、バースト同期部２４、ＭＵＸ部２５、ＤＭＵＸ部２６、ＰＯＮ制御部２７、ネットワークインタフェース部２８を備えている。ＰＯＮ制御部２７は、自らが生成したＰＯＮ制御信号、擬似ＯＮＵ６０からのＰＯＮ制御信号に基づいて、１０Ｇ−ＯＬＴ２０Ｚの動作を制御する。【０１０５】
つぎに、ＰＯＮシステム５Ｚの動作手順について説明する。擬似ＯＮＵ６０は、１Ｇ−ＯＬＴ１０からの下り信号をＷＤＭ６１で受信し、Ｏ／Ｅ変換部６３ｂでＯ／Ｅ変換した信号を１Ｇ−ＰＯＮ制御部６９に入力する。１Ｇ−ＰＯＮ制御部６９は、１Ｇ−ＯＬＴ１０からの下り信号に多重されたＰＯＮ制御信号を解析し、上りの１０Ｇ−ＰＯＮ用の領域（無信号区間）を検出する。１０Ｇ−ＰＯＮ用の領域検出は、実施形態２の無信号区間検出部７０と同様の処理によって検出する。１Ｇ−ＰＯＮ制御部６９は、検出した無信号区間の情報を１０Ｇ−ＰＯＮ制御部６７に入力する。【０１０６】
また、擬似ＯＮＵ６０は、１０Ｇ−ＯＬＴ２０Ｚからの下り信号をＷＤＭ６１で受信し、Ｏ／Ｅ変換部６３ａでＯ／Ｅ変換した下り信号を１０Ｇ−ＰＯＮ制御部６７に入力する。１０Ｇ−ＰＯＮ制御部６７は、１０Ｇ−ＯＬＴ２０Ｚからの下り信号に多重されたＰＯＮ制御信号を解析し、上りの１Ｇ−ＰＯＮ用の領域（Ｔ−ＴＮ）と上りの１０Ｇ−ＰＯＮ用の領域ＴＮを検出する。１０Ｇ−ＰＯＮ用の領域の検出は、実施形態２の無信号区間検出部７０と同様の処理によって検出する。【０１０７】
ここで、図１１に示したＰＯＮシステム５Ｚの詳細な動作タイミングについて説明する。図１２は、図１１に示したＰＯＮシステムの動作タイミングを示すタイミングチャートである。１Ｇ−ＯＬＴ１０のＰＯＮ制御部１７は、帯域更新周期Ｔのうち領域ＴＮの時間を新規ＰＯＮシステム２Ｚ用の領域に設定（開放）する。また、ＰＯＮ制御部１７は、領域（Ｔ−ＴＮ）の時間を既存ＰＯＮシステム１用の領域に設定し、１Ｇ−ＯＮＵ３０に割り当てる。【０１０８】
１Ｇ−ＯＬＴ１０のＰＯＮ制御部１７は、帯域更新周期Ｔ毎に１Ｇ−ＯＮＵ３０と擬似ＯＮＵ６０に送信許可信号を送信する。ここでの送信許可信号には、１Ｇ−ＯＮＵ３０に送信を許可するタイミングの情報と、送信を許可する時間（Ｔ−ＴＮ）の情報を含ませておく。また、ここでのＰＯＮ制御部１７は、１Ｇ−ＰＯＮ（λ１）で１Ｇ−ＯＮＵ３０や擬似ＯＮＵ６０に送信許可信号を送信する。１Ｇ−ＯＮＵ３０では、１Ｇ−ＯＬＴ１０からの送信許可信号に基づいて、波長λ１の上り信号を１Ｇ−ＯＬＴ１０に送信する。【０１０９】
擬似ＯＮＵ６０は、１Ｇ−ＯＬＴ１０からの送信許可信号をＷＤＢ６１とＯ／Ｅ変化部６３ｂを介して１Ｇ−ＰＯＮ制御部６９に入力する。１Ｇ−ＰＯＮ制御部６９では、１Ｇ−ＯＬＴ１０からの送信許可信号を解析して、１Ｇ−ＯＬＴ１０が１０Ｇ−ＰＯＮ用に空けてある領域の先頭（時刻ｐ）（１０Ｇ−ＰＯＮの送信許可を開始する時刻）を検出する。擬似ＯＮＵ６０の１Ｇ−ＰＯＮ制御部６９は、１０Ｇ−ＰＯＮの送信が許可された時刻（時刻ｐ）の情報を１０Ｇ−ＰＯＮ制御部６７に入力する。【０１１０】
１０Ｇ−ＯＬＴ２０ＺのＰＯＮ制御部２７は、１Ｇ−ＯＬＴ１０のＰＯＮ制御部１７で設定された１０Ｇ−ＰＯＮ用の時間帯の先頭位置をサーチする。まず、ＰＯＮ制御部２７は、暫定的に帯域更新周期Ｔの開始タイミングと１０Ｇ−ＰＯＮ用の時間帯（１０Ｇ用領域）ＴＮを設定する。すなわち、ＰＯＮ制御部２７は、１Ｇ−ＰＯＮ用の領域（１Ｇ−ＰＯＮの信号を受信する領域）と１０Ｇ−ＰＯＮ用の領域（１０Ｇ−ＰＯＮの信号を受信する領域）の、開始タイミング（時刻）と期間を暫定的に設定しておく。ＰＯＮ制御部２７が設定した１０Ｇ−ＰＯＮ用の領域（タイミング）は、暫定的な領域であるため、このとき設定された受信位置（送信位置）は実際に１Ｇ−ＯＬＴ１０が１０Ｇ−ＰＯＮ用に空けてある領域の先頭と一致するとは限らない。【０１１１】
ＰＯＮ制御部２７は、自身が暫定的に設定した１Ｇ−ＰＯＮ用の時間帯よりも（Ｔ−ＴＮ）だけ遅延して擬似ＯＮＵ６０からの上り信号（メッセージ）を受信できるよう、擬似ＯＮＵ６０に対して送信許可信号を送信する。すなわち、ＰＯＮ制御部２７は、暫定的に設定した１０Ｇ−ＰＯＮ用領域の先頭（時刻ｒ）で上りメッセージを受信することができるよう、擬似ＯＮＵ６０に送信許可を与える。【０１１２】
擬似ＯＮＵ６０の１０Ｇ−ＰＯＮ制御部６７は、１Ｇ−ＰＯＮ制御部６９から入力された、１０Ｇ−ＰＯＮの送信が許可された時刻（時刻ｐ）と、１０−ＯＬＴ２０Ｚから指定された送信タイミングとの差分（ｒ−ｐ）の情報を上りメッセージ（開放情報）に含めて１０Ｇ−ＯＬＴ２０Ｚに通知する。このとき、擬似ＯＮＵ６０は、１０Ｇｂｐｓで１０Ｇ−ＯＬＴ２０Ｚに上りメッセージを送信する。【０１１３】
１０Ｇ−ＰＯＮ制御部６７からの上りメッセージは、１０Ｇ−ＯＬＴ２０Ｚが受信し、１０Ｇ−ＯＬＴ２０ＺのＰＯＮ制御部２７に送られる。ＰＯＮ制御部２７は、擬似ＯＮＵ６０から上りメッセージの受信を予定していた時刻ｒ（暫定的に設定しておいた時刻）と、擬似ＯＮＵ６０から実際に上りメッセージを受信した時刻ｑと、上りメッセージの中に含まれる送信タイミングの差分（ｒ−ｐ）の情報と、に基づいて、１Ｇ−ＯＬＴ１０が１０Ｇ−ＰＯＮ用に空けてある領域（開始タイミング）と擬似ＯＮＵ６０から１Ｇ−ＯＬＴ１０（１０Ｇ−ＯＬＴ２０Ｚ）までのＲＴＴを算出する。【０１１４】
ＰＯＮ制御部２７は、算出した情報（１Ｇ−ＯＬＴ１０が１０Ｇ−ＰＯＮ用に空けてある領域、ＲＴＴ）に基づいて、擬似ＯＮＵ６０へ送信する送信許可メッセージ内の送信タイミングを補正する。この後、ＰＯＮ制御部２７は、１Ｇ−ＯＬＴ１０と同期を確立するまでの間、擬似ＯＮＵ６０への送信許可信号の送信を繰り返す。そして、擬似ＯＮＵ６０から上りメッセージを受信する度に、１Ｇ−ＯＬＴ１０が１０Ｇ−ＰＯＮ用に空けてある領域とＲＴＴを算出し、擬似ＯＮＵ６０へ送信する送信許可メッセージ内の送信タイミングを補正する。【０１１５】
そして、擬似ＯＮＵ６０から受信する上りメッセージ中の差分情報が０になると、ＰＯＮ制御部２７は１Ｇ−ＯＬＴ１０と同期をとれたと判断する。１０Ｇ−ＯＬＴ２０Ｚでは、１０Ｇ−ＰＯＮ用領域を正しく認識した後、この領域を１０Ｇ−ＯＮＵ用に使用する。【０１１６】
このように実施の形態３によれば、新規ＰＯＮシステム２Ｚでは、光分岐網５０を既存ＰＯＮシステム１と共用して下り信号の波長に既存ＰＯＮシステム１とは異なる別の波長λ３を使用し、既存ＰＯＮシステム１が使用しない時間帯の情報を擬似ＯＮＵ６０からの下り信号に基づいて自律的に検出して使用するので、既存ＰＯＮシステム１の運用に影響を与えることなくユーザ単位（加入者側端末毎）で新規ＰＯＮシステム２Ｙに移行することが可能となる。【０１１７】
また、１０Ｇ−ＯＬＴ２０は、擬似ＯＮＵ６０から上りメッセージの受信を予定していた時刻ｒと、擬似ＯＮＵ６０から実際に上りメッセージを受信した時刻ｑと、上りメッセージに中に含まれる送信タイミングの差分（ｒ−ｐ）の情報と、に基づいて、１０Ｇ−ＰＯＮ用に空けてある領域（開始タイミング）とＲＴＴを算出することができるので、簡易な構成で新規ＰＯＮシステム２Ｙに移行することが可能となる。【０１１８】
実施の形態４．
つぎに、図１３〜図１５を用いてこの発明の実施の形態４について説明する。ＰＯＮシステム５Ｘでは、加入者側装置（１Ｇ−ＯＮＵ３０や１０Ｇ−ＯＮＵ４０）が光分岐網５０に接続されたことを検出するため、周期的にディスカバリー手順を行なう。【０１１９】
ここでは、実施の形態１の図２および図３に示した各ＰＯＮシステム５Ｘにおけるディスカバリー手順について説明する。図１３は、図２に示したＰＯＮシステムのディスカバリー手順を説明するタイミングチャートである。【０１２０】
１Ｇ−ＯＬＴ１０は、ディスカバリー手順により、光分岐網５０に接続されている１Ｇ−ＯＮＵ３０の固体番号識別と距離測定を行う。図１３に示すように、ディスカバリー手順では、周期Ｐで１Ｇ−ＯＬＴ１０が１Ｇ−ＯＮＵ３０に、ウインドウ幅Ｗの上り無信号区間を設けた送信許可信号を送信している。１Ｇ−ＯＮＵ３０（加入者側装置）では、ディスカバリーウインドウにて上りメッセージを送信する。この１Ｇ−ＯＮＵからのメッセージは、１Ｇ−ＯＬＴ１０で正常に受信される。【０１２１】
新規ＰＯＮシステム２Ｘでは、１０Ｇ−ＯＬＴ２０Ｘが実施の形態１で説明した無信号区間の検出処理と同様の手順によって、既存ＰＯＮシステム１のディスカバリーウインドウの出現タイミングを検出する。【０１２２】
すなわち、図３に示したＰＯＮシステム５Ｘの場合、１Ｇ−ＯＮＵと１０Ｇ−ＯＮＵの上りメッセージの衝突を避けてディスカバリー手順を速やかに完了させるため、１Ｇ−ＯＬＴ１０はディスカバリー用メッセージ（送信許可信号）をＰＯＮシステム５Ｘ内で間引いて送信する。１Ｇ−ＯＬＴ１０は、例えば図１４に示すタイミングでディスカバリー用メッセージを送信する。【０１２３】
図１５は、図３に示したＰＯＮシステムのディスカバリー手順を説明するタイミングチャートである。図１５に示すように、ここでのディスカバリー手順では、周期Ｐで１Ｇ−ＯＬＴ１０が１Ｇ−ＯＮＵ３０に、ウインドウ幅Ｗの上り無信号区間を設けた送信許可信号を送信している。１Ｇ−ＯＬＴ１０が１Ｇ−ＯＮＵ３０に、送信する送信許可信号は、所定の割合で間引かれている。すなわち、１Ｇ−ＯＬＴ１０は、１Ｇ−ＯＮＵ３０のディスカバリーを行わない周期を設けている。【０１２４】
１０Ｇ−ＯＬＴ２０Ｘの無信号区間検出部２９が既存ＰＯＮシステム１のディスカバリーウインドウの出現タイミングを検出すると、ＰＯＮ制御部２７はこの出現タイミングに基づいて、１Ｇ−ＯＬＴ１０が１Ｇ−ＯＮＵ３０のディスカバリーを行わない周期（開放周期）を検出する。【０１２５】
そして、ＰＯＮ制御部２７は、１Ｇ−ＯＬＴ１０が１Ｇ−ＯＮＵ３０のディスカバリーを行わない周期に基づいて、１０Ｇ−ＯＮＵ４０にウインドウ幅Ｗの上り無信号区間を設けた送信許可信号を送信する。すなわち、１０Ｇ−ＯＬＴ１０は、１Ｇ−ＯＬＴ１０によって送信許可信号が間引かれたタイミングを利用して１０Ｇ−ＯＮＵ４０に送信許可信号を送信する。換言すると、１０Ｇ−ＰＯＮシステムでは１Ｇ−ＯＮＵ３０がディスカバリーを行わない周期にて、１０Ｇ−ＯＮＵ４０のディスカバリーを行う。【０１２６】
１Ｇ−ＯＮＵ３０では、ディスカバリーウインドウにて上りメッセージを送信する。この１Ｇ−ＯＮＵ３０からのメッセージは、１Ｇ−ＯＬＴ１０で正常に受信される。また、１０Ｇ−ＯＮＵ４０では、ディスカバリーウインドウにて上りメッセージを送信する。この１０Ｇ−ＯＮＵ４０からのメッセージは、１０Ｇ−ＯＬＴ１０で正常に受信される。【０１２７】
なお、ここでは、実施の形態１で説明した１０Ｇ−ＯＬＴ２０Ｘによる無信号区間の検出処理と同様の手順によって、既存ＰＯＮシステム１のディスカバリーウインドウの出現タイミングを検出することとしたが、実施の形態２，３で説明した１０Ｇ−ＯＬＴ２０Ｙ，２０Ｚによる無信号区間の検出処理と同様の手順によって、既存ＰＯＮシステム１のディスカバリーウインドウの出現タイミングを検出してもよい。【０１２８】
このように実施の形態４によれば、新規ＰＯＮシステム２Ｘでは、光分岐網５０を既存ＰＯＮシステム１と共用して下り信号の波長に既存ＰＯＮシステム１とは異なる別の波長λ３を使用し、既存ＰＯＮシステムのディスカバリーウインドウを上り信号に基づいて自律的に検出して使用するので、既存ＰＯＮシステム１の運用に影響を与えることなくユーザ単位（加入者側端末毎）で新規ＰＯＮシステム２Ｘに移行することが可能となる。【０１２９】
なお、実施の形態１では無信号区間検出部２９が請求の範囲に記載の検出部に対応し、ＰＯＮ制御部２７が第２の帯域制御部に対応し、ＰＯＮ制御部１７が第１の帯域制御部に対応する。また、実施の形態２では無信号区間検出部７０が請求の範囲に記載の検出部に対応し、ＰＯＮ制御部２７が第２の帯域制御部に対応し、ＰＯＮ制御部１７が第１の帯域制御部に対応する。また、実施の形態３ではＰＯＮ制御部２７が請求の範囲に記載の検出部と第２の帯域制御部に対応し、ＰＯＮ制御部１７が第１の帯域制御部に対応する。
【産業上の利用可能性】
【０１３０】
以上のように、本発明にかかるＰＯＮシステムおよびＰＯＮ接続方法は、新規のＰＯＮの光アクセス網への収容に適している。
【図１】
2008072347.tif 000003
【図２】
2008072347.tif 000004
【図３】
2008072347.tif 000005
【図４】
2008072347.tif 000006
【図５】
2008072347.tif 000007
【図６】
2008072347.tif 000008
【図７】
2008072347.tif 000009
【図８】
2008072347.tif 000010
【図９】
2008072347.tif 000011
【図１０】
2008072347.tif 000012
【図１１】
2008072347.tif 000013
【図１２】
2008072347.tif 000014
【図１３】
2008072347.tif 000015
【図１４】
2008072347.tif 000016
【図１５】
2008072347.tif 000017
【国際調査報告】
2008072347.tif 000018
2008072347.tif 000019
2008072347.tif 000020
2008072347.tif 000021